【手続補正書】
【提出日】平成15年10月20日(2003.10.20)
【手続補正１】
【補正対象書類名】明細書
【補正対象項目名】００１２
【補正方法】変更
【補正の内容】
【００１２】
図２に示す画像入力装置（以下、入力装置とする）１２は、長尺なネガフィルムもしくはリバーサルフィルムであり多数の画像が撮影されているストリップスや、通常は１枚のリバーサルフィルムを枠体（マウント）に固定してなるスライドなどの種類やサイズの異なるフィルムをフィルム原稿として、これらのフィルム原稿に撮影された画像を光電的に読み取る装置であって、基本的に、光学フレーム１３、光源部２４、キャリアベース２６、ズームレンズが組み込まれた結像部２８、エリアセンサであるイメージセンサ３０およびキャリアベース２６に互いに交換自在に装着されるフィルムキャリア３２とスライドキャリア３４（図３参照）などのキャリアを有する。
この入力装置１２においては、キャリアベース２６に装着されたフィルムキャリア３２またはスライドキャリア３４によって、図中矢印ｘ方向にストリップスＡまたはスライドＢを搬送して読取位置Ｚで停止し、光源部２４からの光をフィルム原稿画像に照射して、フィルム原稿に撮影された画像を担持する投影光を得、結像部２８において投影光をイメージセンサ３０に結像し、イメージセンサ３０において光電変換して画像信号を得ることにより、フィルム原稿に撮影された画像を画像信号として二次元的に読み取る。なお、このような入力装置１２の制御は、後述する制御装置１４の入力制御部（以下制御部とする）７０（図５および図６参照）によって行われる。


【手続補正２】
【補正対象書類名】明細書
【補正対象項目名】００２５
【補正方法】変更
【補正の内容】
【００２５】
光学フレーム１３の上部には、ストリップスＡおよびスライドＢの投影光をイメージセンサ３０に結像させる結像部２８が配置される。結像部２８は、光学フレーム１３に固定される定盤６０に垂設されるズームレンズユニット（レンズユニット）６２、倍率調整モータ６３および焦点調整モータ６４を有するものである。レンズユニット６２は、ストリップスＡやスライドＢのサイズやトリミングサイズに応じて光学倍率を変更して、投影光のサイズをイメージセンサ３０で受光可能な最大サイズ（すなわち、必要な画像領域がイメージセンサ３０の受光面に内接または内接に近くなるサイズ）に調整してイメージセンサ３０に結像するための、公知のズームレンズが組み込まれたズームレンズ群６６と、その上方（光軸Ｌ方向下流側）に位置する、投影光の焦点をイメージセンサ３０の受光面上に調整する公知の焦点調整レンズが組み込まれたフォーカスレンズ群６８とを有する。


【手続補正３】
【補正対象書類名】明細書
【補正対象項目名】００２６
【補正方法】変更
【補正の内容】
【００２６】
また、フォーカスレンズ群６８の調整ギヤ６８ａは、焦点調整モータ６４によって回転されるギヤ６４ａに噛合しており、フォーカスレンズ群６８は焦点調整モータ６４によって焦点を調整され、すなわち合焦位置に移動調整される。さらに、ズームレンズ群６６は、その調整ギア６６ａがズーム用モータである倍率調整モータ６３によって回転されるギア６３ａと噛合しており、この倍率調節モータ６３によって設定された光学倍率に応じたイメージセンサ３０上の結像画像サイズとなるように光軸Ｌ方向に移動調整される。焦点調整モータ６４の駆動は、制御装置１４の自動焦点調整手段８０によって制御されており、図示例の入力装置１２は、ＴＴＬ（Through The Lens）方式により、イメージセンサ３０によって読み取られた画像およびそのコントラストを用いて自動焦点調整（オートフォーカス：ＡＦ）を行う。なお、結像部２８には、レンズ温度の変動によるレンズユニット６２の焦点位置の変動を補正するために、例えばサーミスタなどの温度センサを取り付けてもよい。


【手続補正４】
【補正対象書類名】明細書
【補正対象項目名】００２９
【補正方法】変更
【補正の内容】
【００２９】
具体的には、例えば、図４に示すように、Ａを基準読取位置とするとき、ＣＣＤの半画素を振幅として、ｘ（主走査画素アドレス）方向の駆動周波数をＣＣＤの読取周波数と一致させ、ｙ（副走査画素アドレス）方向の駆動周波数をＣＣＤの読取周波数の半分（１／２）とすることにより、イメージセンサ（ＣＣＤ）３０の１画素について基準位置ＡからＡ→Ｂ→Ｃ→Ｄの順序で移動し、１／２画素づつずらして４回読み取ることができるので、読取画素数を４倍にすることができる。もちろん、Ａ，Ｂ，Ｃ，Ｄの４画素の読み取りは、主走査方向１ラインについて同一のＣＣＤ読出フィールド（偶数フィールドと奇数フィールドとに分けられる）で行われ、順次副走査方向に主走査ラインを移動させて次々と走査され画素データが読み取られていく。また、Ａ，Ｂ，Ｃ，Ｄの４画素の読み取りの順序は、適宜設定可能である。


【手続補正５】
【補正対象書類名】明細書
【補正対象項目名】００３０
【補正方法】変更
【補正の内容】
【００３０】
イメージセンサ３０からの信号は、制御装置１４に出力される。
制御装置１４は、図１に示すように、画像入力装置１２の各部および全体ならびにデジタルプリント装置１０の制御を行うとともに、本発明の読み取り方式制御手段を構成する制御部７０と、入力装置１２のイメージセンサ３０からの出力信号を受け、所定の信号処理を施して入力画像信号とする信号処理装置７２と、得られた画像信号に所要、もしくは所望の画像処理を施して画像出力装置１６に出力画像信号として出力する、本発明の画像処理手段を構成する画像処理装置７４とを有する。
制御部７０は、信号処理装置７２の信号処理演算の制御のみならず、入力装置１２の各部および全体の制御を行い、かつ本発明における出力画像信号の主副画素数または、プリントサイズに応じた読み取り方式制御モード、すなわちスキャンモードの自動設定および設定されたスキャンモードに応じたイメージセンサ３０による読み取りの制御、イメージセンサ３０のｘ−ｙ移動制御回路３０ａの制御ならびに読み取られた信号の演算処理を実施する読み取り方式制御手段を構成するＣＰＵ７６と、読取光学倍率情報、ズームレンズ移動量情報、イメージセンサ情報、キャリア情報、出力画素密度、プリントサイズ、マガジン情報、出力けられ余裕量、入出力画素欠損などを記憶するメモリ７８と、イメージセンサ３０によって読み取って得られた画像を用いて自動焦点調整を行う自動焦点調整手段８０、画像回転手段８２、ネガ／ポジ変換手段８４などとを有する。また、制御部７０には、入力装置１２の操作や読取光学倍率などの読取条件やスキャンモードの設定、プリントサイズ（出力画像のサイズ）や主被写体の設定、色／濃度補正等の操作指示、入力を行うキーボード２２ａおよびマウス２２ｂ、イメージセンサ３０で読み取った画像を表示するモニタ２０等が接続される。


【手続補正６】
【補正対象書類名】明細書
【補正対象項目名】００３２
【補正方法】変更
【補正の内容】
【００３２】
暗時補正回路８８で暗時補正された画像データは、自動焦点調整手段８０に入力される。自動焦点調整手段８０は、まず焦点調整モータ６４を制御して、レンズユニット６２を所定サーチエリア内の所定間隔の各点に移動し、各点での暗時補正された画像データを得て、画像コントラスト積算値を求めることを繰り返して、これが最大となる位置を合焦位置（ピント位置）と決定し、この合焦位置にＣＰＵバスを介して焦点調整モータ６４を制御し、レンズユニット６２を設定する。
一方、キャリアＩＤ判別手段３１からはストリップスＡ用のフィルムキャリア３２かスライドＢ用のスライドキャリア３４かのいずれかの装填されているキャリアＩＤ符号が、キーボード２２ａやマウス２２ｂからは、入力、選択、追加または修正された登録プリントサイズ、読取光学倍率などの読取条件、色および／または濃度の補正、覆い焼き補正、階調補正などの記録条件などの情報がＣＰＵバスを介してＣＰＵ７６、メモリ７８、自動焦点調整手段８０に入力される。
なお、光源部４４の光源３５、絞り（アイリス絞り）３６、色フィルタ３８は、それぞれＣＰＵ７６とＣＰＵバスを介して接続される光源制御回路３５ｂ、絞り制御回路３６ａ、色フィルタ制御回路３８ａによって、光強度、開度、色フィルタの種類が制御される。


【手続補正７】
【補正対象書類名】明細書
【補正対象項目名】００３４
【補正方法】変更
【補正の内容】
【００３４】
メモリ７８には、読取光学倍率に応じたズームレンズ６２の各ズーム位置やその微調整値などの読取光学倍率情報、イメージセンサ３０のサイズ（主副走査方向の寸法情報）と画素密度と有効画素領域（数）などのイメージセンサ情報、スキャンモードに応じた読み取り方式情報、キャリアベース２６に装着されるキャリアのＩＤ符号とこのキャリアのマスクサイズ（主副走査方向の寸法情報）とこのキャリアにセットされるフィルムの種類とサイズなどのキャリア情報、画像出力機１６の出力画素密度、登録されているプリントサイズ（長短辺（縦横）の寸法情報）およびこれに対応する出力画像信号の主副画素数、画像出力機１６に装填されるマガジン１１４（図７参照）のＩＤ符号とこのマガジン内に収納される感光材料のサイズ（幅情報）と種類などのマガジン情報、画像出力機１６の搬送装置１００における感光材料の蛇行や光ビーム走査装置１０２（図７参照）による主走査長誤差などを考慮した出力けられ余裕量、画像処理装置７４におけるＬＰＦ（ローパスフィルター）や電子変倍などの画像処理による入力画素欠損（画素数）とＵＳＭ（アンシャープネスマスク）などの画像処理による出力画素欠損（画素数）などの情報を含め、本発明のデジタルプリント装置１０の動作制御に必要な情報などの様々な情報が記憶されている。


【手続補正８】
【補正対象書類名】明細書
【補正対象項目名】００３６
【補正方法】変更
【補正の内容】
【００３６】
一方、入力装置１２においてはフィルムキャリア３２にセットされるストリップスＡやスライドキャリア３４にセットされるスライドＢの方向は定まっており、イメージセンサ３０によって読み取られる原稿画像領域をできる限り大きくしようとすれば、フィルム原稿の方向、すなわち、原稿画像の形状、従って、キャリアマスクの形状（例えば、特にアスペクト比）は、一義的に決められてしまう。このため、入力装置１２によって読み取られる原稿画像の１ラインが、画像出力機１６の主走査方向の１ラインと一致しない場合が生じる。その結果、画像回転制御手段８２によって、フレームメモリ９１に格納されている画像信号を少なくとも画像出力機１６で露光に供する前に、画像信号を処理して画像（画像領域）を９０°回転し、すなわち画素の並び変えや、フレームメモリアドレスのアクセス順序を変換式に基づいて変更する等により、出力画像のライン方向と露光のライン方向とを一致させる必要があるのである。


【手続補正９】
【補正対象書類名】明細書
【補正対象項目名】００３８
【補正方法】変更
【補正の内容】
【００３８】
ところで、周知のように、従来の種々のプリンタにおいては、通常、画像出力のための精密な読み取り（ファイン（本）スキャン）に先立ち、画像処理条件の設定等のために原稿画像を粗く読み取るプレスキャンが行われている。このため、図５に示す信号処理装置７２のフレームメモリ９１は、図６に示されるように、プレスキャン用のフレームメモリ９１ａと、トグルメモリとして構成される本スキャン用のフレームメモリ９１ｂとからなる。そして、本発明に用いられる画像処理装置７４は、このようなフレームメモリ９１ａ，９１ｂに格納されたフィルム原稿の画像信号、例えば、１枚の画像のＲ，Ｇ，Ｂの３原色の画像信号に所要の画像処理を施すものである。


【手続補正１０】
【補正対象書類名】明細書
【補正対象項目名】００４３
【補正方法】変更
【補正の内容】
【００４３】
光ビーム走査装置１０２は、赤（Ｒ）露光、緑（Ｇ）露光および青（Ｂ）露光に対応する光ビームを射出する光源、ＡＯＭ（音響光学変調器）等の変調手段、ポリゴンミラー等の光偏向器、ｆθレンズ等を有して構成される、公知の光ビーム走査装置を用いることができる。
一方、露光部１２０の副走査搬送手段は、感光材料Ｐを所定の露光位置に保持しつつ、主走査方向（紙面に垂直な方向）と略直交する副走査方向（矢印ｄ方向）に搬送する露光ドラム１２８と、副走査方向に露光位置（走査線）を挟んで露光ドラム１２８を押圧する２本のニップローラ１３０、１３０とから構成され、この他図示されないが、パンチ孔を検出するセンサやガイドを有するものであってもよい。なお、露光部１２０の前後には、画像位置情報形成部１１８のパンチ孔の穿孔や、バックプリント部１２２のバックプリントによる副走査搬送手段への影響、すなわち感光材料Ｐの副走査搬送速度の変動の発生などを除くために、感光材料Ｐのループが設けられる。


【手続補正１１】
【補正対象書類名】明細書
【補正対象項目名】００５５
【補正方法】変更
【補正の内容】
【００５５】
スキャンモード登録画面１８ａには、選択されている原稿に応じてデフォルト値として設定された適切な値が表示される。この画面１８ａでは、原稿毎にスキャンモードの境界プリントサイズ（長辺）と、境界値未満のスキャンモードと、境界値以上のスキャンモードとの設定を行うことができる。表示欄Ｄ２には原稿毎のスキャンモードの境界プリントサイズ（長辺）が表示され、１５２ｍｍが設定されていることを示す。この境界プリントサイズは、キーボード２２ａによる数値入力によってもしくはマウス２２ｂによる表示欄Ｄ２の上下方向矢印クリックで最小単位（例えばｍｍ）で増減させて設定することができる。表示欄Ｄ３およびＤ４にはそれぞれ境界値未満スキャンモードおよび境界値以上スキャンモードが表示され、それぞれ「スキャン１」モードおよび「スキャン２」モードが設定されていることを示す。これらのモードは、各表示欄Ｄ３，Ｄ４の各矢印をクリックすることによりリストに加えられているモードの表示を切り換えて、設定値を変えることができる。表示欄Ｄ５には、この画面１８ａで表示欄Ｄ２の境界サイズで設定された値に対して該当するプリントサイズとこれに対応するスキャンモードとを示すプリントサイズ別の登録一覧が表示され、それぞれ８９×１５８．０（ｍｍ）のＨＶサイズに対して「スキャン２」モードが対応することを示す。


【手続補正１２】
【補正対象書類名】明細書
【補正対象項目名】００５７
【補正方法】変更
【補正の内容】
【００５７】
ここでは、まず、表示欄Ｄ６の中で登録するプリントサイズをリスト選択し、選択されたプリントサイズに応じたスキャンモードを表示欄Ｄ７で選択して、「追加」ボタンを指示して表示欄Ｄ８の一覧の最後に追加される。なお、表示欄Ｄ８の一覧から、「削除」ボタンの指示で一項目、「全削除」ボタンの指示で全項目が削除できる。「取消」ボタンの指示はダイアログ１８ｂを消去し、ダイアログ１８ｂでの設定結果は反映されない。「了解」ボタンを指示すると、表示欄Ｄ８の一覧リストに表示された項目を登録し、ダイアログ１８ｂを消去し、「スキャンモード登録」画面１８ａに戻り、表示欄Ｄ５のプリントサイズ別登録一覧リストを登録結果に更新する。
ここで「登録」ボタンを指示すると、設定値が更新され登録が終了される。なお、この画面１８ａでの「取消」ボタンの指示は、設定値の変更結果を反映せずに登録を終了する。
以上のようにしてプリントサイズとスキャンモードとの関係を原稿種に応じて任意に設定できる。


【手続補正１３】
【補正対象書類名】明細書
【補正対象項目名】図面の簡単な説明
【補正方法】変更
【補正の内容】
【図面の簡単な説明】
【図１】本発明に係る画像形成装置を適用するデジタルプリント装置の一実施例のブロック図である。
【図２】図１に示すデジタルプリント装置の画像入力装置の一実施例の概略斜視図である。
【図３】図２に示す画像入力装置に用いられるスライドキャリアの一実施例の概略斜視図である。
【図４】図２に示す画像入力装置で行われる画素ずらしを説明する説明図である。
【図５】図１に示すデジタルプリント装置の制御装置の一実施例のブロック図である。
【図６】図５に示す制御装置の画像処理装置の一実施例のブロック図である。
【図７】図１に示すデジタルプリント装置の画像出力機の一実施例の概略断面図である。
【図８】本発明に用いられる読み取り方式制御手段において行われる画像スキャンモード登録を説明するためのモニタ表示画面の一例を示す説明図である。
【図９】本発明に用いられる読み取り方式制御手段において行われる画像スキャンモード登録を説明するためのモニタ表示画面の別の例を示す説明図である。
【符号の説明】
１０  デジタルプリント装置
１２  画像入力装置
１４  制御装置
１６  画像出力機
１８  表示装置（モニタ）
２０  記憶装置
２２  データ入力装置
２４  光源部
２６  キャリベース
２８  結像部
３０  イメージセンサ（ＣＣＤ）
３０ａ  ｘｙ移動制御回路
３２  フィルムキャリア
３４  スライドキャリア
６２  ズームレンズユニット
７０  制御部
７２  信号処理装置
７４  画像処理装置
７６  ＣＰＵ
７８  メモリ
９１，９１ａ，９１ｂ  フレームメモリ
９２  表示用画像処理回路
９４  記録用画像処理回路
１００  搬送装置
１０２  光ビーム走査装置
１０８  現像装置
１１０  乾燥装置
１１２  排出装置